(57)【要約】      （修正有）【課題】消火機能及び排煙機能を有するスプリンクラー設備を簡易な構成で実現する。【解決手段】スプリンクラー設備１は、建物の所定の区画Ａ、Ｂへ消火水を散水し、又は区画Ａ、Ｂから煙が吸い込まれるヘッド部１０Ａ、１０Ｂと、一端側でヘッド部１０Ａ、１０Ｂと接続されており、ヘッド部１０Ａ、１０Ｂから散水される消火水が流れ、又はヘッド部１０Ａ、１０Ｂから吸い込まれた煙が流れる共用流路３０Ａ、３０Ｂと、消火水流路３１Ａ、３１Ｂと、共用流路３０Ａ、３０Ｂと接続され、排煙部６０へ煙が流れる煙流路３２Ａ、３２Ｂと、消火水流路３１Ａ、３１Ｂから共用流路３０Ａ、３０Ｂへの流れと、共用流路３０Ａ、３０Ｂから煙流路３２Ａ、３２Ｂへの流れとを切り替える第１開閉弁４０Ａ、４０Ｂ及び第２開閉弁４５Ａ、４５Ｂと、制御部８０と、を備える。【選択図】図１
2019093005.tif 000002
【特許請求の範囲】
【請求項１】
建物の所定の区画へ消火水を散水し、又は前記区画から煙が吸い込まれるヘッド部と、
一端側で前記ヘッド部と接続されており、前記ヘッド部から散水される前記消火水が流れ、又は前記ヘッド部から吸い込まれた前記煙が流れる共用流路と、
前記共用流路の他端側と接続され、水源から前記消火水が流れる第１分岐流路と、
前記共用流路の他端側と接続され、排煙部へ前記煙が流れる第２分岐流路と、
前記第１分岐流路から前記共用流路への前記消火水の流れと、前記共用流路から前記第２分岐流路への前記煙の流れとを切り替える弁と、
前記弁の動作を制御して、前記ヘッド部に前記消火水を散水させるか、前記ヘッド部から前記煙を吸い込ませるかを切り替える制御部と、
を備える、スプリンクラー設備。
【請求項２】
前記弁として、前記第１分岐流路に設けられた第１開閉弁と、前記第２分岐流路に設けられた第２開閉弁とを備え、
前記制御部は、前記第１開閉弁及び前記第２開閉弁の開閉を制御して、前記ヘッド部に前記消火水を散水させるか、前記ヘッド部から前記煙を吸い込ませるかを切り替える、
請求項１に記載のスプリンクラー設備。
【請求項３】
前記弁は、前記第１分岐流路と前記第２分岐流路への分岐部に設けられた三方弁である、
請求項１に記載のスプリンクラー設備。
【請求項４】
前記ヘッド部は、前記消火水を散水する開放口を有し、前記開放口から前記区画の煙を吸い込む、
請求項１から３のいずれか１項に記載のスプリンクラー設備。
【請求項５】
前記制御部は、前記区画で火災が発生した場合に、前記弁の動作を制御して、前記区画への前記消火水の散水と前記区画の煙の吸い込みとを順次切り替えて両方行わせる、
請求項１から４のいずれか１項に記載のスプリンクラー設備。
【請求項６】
前記ヘッド部は、区画毎に設けられており、
前記制御部は、一の区画の前記ヘッド部に前記一の区画へ前記消火水を散水させると共に、前記一の区画に隣接する隣接区画の前記ヘッド部から前記隣接区画の煙を吸い込ませる、
請求項１から５のいずれか１項に記載のスプリンクラー設備。
【請求項７】
区画毎に火災を感知する感知器を更に備え、
前記制御部は、前記感知器によって前記一の区画での火災が感知されると、前記一の区画の前記ヘッド部に前記消火水を散水させ、前記隣接区画のヘッド部から前記煙を吸い込ませる、
請求項６に記載のスプリンクラー設備。
【請求項８】
前記区画での煙の濃度を検知する濃度検知部を更に備え、
前記制御部は、前記濃度検知部が検知した濃度に応じて、前記ヘッド部からの前記煙の吸い込み量を制御する、
請求項１から４のいずれか１項に記載のスプリンクラー設備。
【請求項９】
前記ヘッド部として、一つの区画に第１ヘッド部及び第２ヘッド部が設けられ、
前記制御部は、前記一の区画で火災が発生した場合に、前記第１ヘッド部に消火水を散水させると共に、前記第２ヘッド部から煙を吸い込ませる、
請求項１から４のいずれか１項に記載のスプリンクラー設備。
【発明の詳細な説明】
【技術分野】
【０００１】
本発明は、スプリンクラー設備に関する。
【背景技術】
【０００２】
スプリンクラー設備は、例えば一の区画（部屋）で火災を感知すると、一の区画に消火水を散水して消火を行う。消火を行う際には、消火水の散水だけでなく、煙の排出も行われている。例えば、特許文献１には、排煙機能と消火機能を併せて有する排煙装置が開示されている。
【先行技術文献】
【特許文献】
【０００３】
【特許文献１】特開２０１５−７３７６８号公報
【発明の概要】
【発明が解決しようとする課題】
【０００４】
しかし、特許文献１の排煙装置においては、消火水を散水するスプリンクラーヘッドと、部屋の煙を外部へ排出する排気口部とがそれぞれ設けられている。このため、配管等が複数必要になり、消火設備が複雑になりやすい。
【０００５】
そこで、本発明はこれらの点に鑑みてなされたものであり、消火機能及び排煙機能を有するスプリンクラー設備を簡易な構成で実現することを目的とする。
【課題を解決するための手段】
【０００６】
本発明の一の態様においては、建物の所定の区画へ消火水を散水し、又は前記区画から煙が吸い込まれるヘッド部と、一端側で前記ヘッド部と接続されており、前記ヘッド部から散水される前記消火水が流れ、又は前記ヘッド部から吸い込まれた前記煙が流れる共用流路と、前記共用流路の他端側と接続され、水源から前記消火水が流れる第１分岐流路と、前記共用流路の他端側と接続され、排煙部へ前記煙が流れる第２分岐流路と、前記第１分岐流路から前記共用流路への前記消火水の流れと、前記共用流路から前記第２分岐流路への前記煙の流れとを切り替える弁と、前記弁の動作を制御して、前記ヘッド部に前記消火水を散水させるか、前記ヘッド部から前記煙を吸い込ませるかを切り替える制御部と、を備える、スプリンクラー設備を提供する。
【０００７】
また、前記スプリンクラー設備は、前記弁として、前記第１分岐流路に設けられた第１開閉弁と、前記第２分岐流路に設けられた第２開閉弁とを備え、前記制御部は、前記第１開閉弁及び前記第２開閉弁の開閉を制御して、前記ヘッド部に前記消火水を散水させるか、前記ヘッド部から前記煙を吸い込ませるかを切り替えることとしてもよい。
【０００８】
また、前記弁は、前記第１分岐流路と前記第２分岐流路への分岐部に設けられた三方弁であることとしてもよい。
【０００９】
また、前記ヘッド部は、前記消火水を散水する開放口を有し、前記開放口から前記区画の煙を吸い込むこととしてもよい。
【００１０】
また、前記制御部は、前記区画で火災が発生した場合に、前記弁の動作を制御して、前記区画への前記消火水の散水と前記区画の煙の吸い込みとを順次切り替えて両方行わせることとしてもよい。
【００１１】
また、前記ヘッド部は、区画毎に設けられており、前記制御部は、一の区画の前記ヘッド部に前記一の区画へ前記消火水を散水させると共に、前記一の区画に隣接する隣接区画の前記ヘッド部から前記隣接区画の煙を吸い込ませることとしてもよい。
【００１２】
また、前記スプリンクラー設備は、区画毎に火災を感知する感知器を更に備え、前記制御部は、前記感知器によって前記一の区画での火災が感知されると、前記一の区画の前記ヘッド部に前記消火水を散水させ、前記隣接区画のヘッド部から前記煙を吸い込ませることとしてもよい。
【００１３】
また、前記スプリンクラー設備は、前記区画での煙の濃度を検知する濃度検知部を更に備え、前記制御部は、前記濃度検知部が検知した濃度に応じて、前記ヘッド部からの前記煙の吸い込み量を制御することとしてもよい。
【００１４】
また、前記ヘッド部として、一つの区画に第１ヘッド部及び第２ヘッド部が設けられ、前記制御部は、前記一の区画で火災が発生した場合に、前記第１ヘッド部に消火水を散水させると共に、前記第２ヘッド部から煙を吸い込ませることとしてもよい。
【発明の効果】
【００１５】
本発明によれば、消火機能及び排煙機能を有するスプリンクラー設備を簡易な構成で実現できるという効果を奏する。
【図面の簡単な説明】
【００１６】
【図１】本発明の第１の実施形態に係るスプリンクラー設備１の概略構成を説明するための模式図である。
【図２】ヘッド部１０Ａの構成を説明するための模式図である。
【図３】区画Ａを消火し、かつ区画Ｂを排煙する際の消火水及び煙の流れを説明するための模式図である。
【図４】区画Ｂを消火し、かつ区画Ａを排煙する際の消火水及び煙の流れを説明するための模式図である。
【図５】建物の一の区画から火災が発生した際の他の区画での排煙を説明するための模式図である。
【図６】火災発生時の区画Ａ、Ｂに対するスプリンクラー設備１の動作例を説明するためのフローチャートである。
【図７】第２の実施形態に係るスプリンクラー設備１の概略構成を説明するための模式図である。
【図８】第３の実施形態を説明するための模式図である。
【発明を実施するための形態】
【００１７】
＜第１の実施形態＞
（スプリンクラー設備の構成）
本発明の第１の実施形態に係るスプリンクラー設備の構成について、図１〜図４を参照しながら説明する。
【００１８】
図１は、第１の実施形態に係るスプリンクラー設備１の概略構成を説明するための模式図である。スプリンクラー設備１は、建物の複数の区画（例えば部屋）の各々に対して消火水を散水して消火する消火機能に加えて、各区画の煙を吸い込んで排出する排煙機能を有する。スプリンクラー設備１が設けられる建物は、例えば住宅、グループホーム、ビル等である。図１では、説明の便宜上、２つの区画Ａ、Ｂのみを示しているが、建物は実際には３つ以上の区画を含む。
【００１９】
以下では、図１に示す２つの区画Ａ、Ｂに対する消火機能と排煙機能を実現するためのスプリンクラー設備１の構成について説明する。
スプリンクラー設備１は、図１に示すように、ヘッド部１０Ａ、１０Ｂと、感知器２０Ａ、２０Ｂと、共用流路３０Ａ、３０Ｂと、消火水流路３１Ａ、３１Ｂと、煙流路３２Ａ、３２Ｂと、第１開閉弁４０Ａ、４０Ｂと、第２開閉弁４５Ａ、４５Ｂと、水源５０と、排煙部６０と、制御部８０とを有する。
【００２０】
ヘッド部１０Ａ、１０Ｂは、区画Ａ、Ｂの天井に設置されたスプリンクラーヘッドである。ここでは、図１に示すように、一つの区画に一つのヘッド部が設けられている。ヘッド部１０Ａ、１０Ｂは、消火水を区画へ散水する機能と、区画から煙を吸い込む機能とを兼用する。例えば、ヘッド部１０Ａは、区画Ａへ消火水を散水し、又は区画Ａから煙を吸い込む。ヘッド部１０Ａ、１０Ｂは、区画Ａ、Ｂの全体に満遍なく散水できる位置に取り付けられている。ヘッド部１０Ａ、１０Ｂの構成は同一であるので、以下ではヘッド部１０Ａの構成について、図２を参照しながら説明する。
【００２１】
図２は、ヘッド部１０Ａの構成を説明するための模式図である。ヘッド部１０Ａは、いわゆる開放型ヘッドである。このため、ヘッド部１０Ａの消火水を散水する開放口は、閉鎖型ヘッドとは異なり、常に開いている。ヘッド部１０Ａは、区画Ａの天井側に取り付けられるフレーム１２と、消火水を区画Ａ全体へ散水するためのデフレクター１３とを有する。ここでは、ヘッド部１０Ａは下向きに消火水を散水するが、これに限定されず、例えば上向きに散水するものであってもよい。また、ヘッド部１０Ａは、区画Ａの煙（例えば火災時に発生する煙）を吸い込むが、具体的には、消火水を散水する開放口から煙が吸い込まれる。
【００２２】
感知器２０Ａ、２０Ｂは、区画Ａ、Ｂの天井に設置されており、区画Ａ、Ｂで発生する火災を感知する。感知器２０Ａ、２０Ｂは、火災を感知すると、火災信号を制御部８０へ送信する。感知器２０Ａ、２０Ｂは、ここでは、区画の煙の濃度を検知する濃度検知部としての機能も有する。
【００２３】
共用流路３０Ａ、３０Ｂは、一端側がヘッド部１０Ａ、１０Ｂと接続された管路である。共用流路３０Ａ、３０Ｂは、建物の壁の内部に配管されている。共用流路３０Ａ、３０Ｂは、消火水と煙のいずれか一方を選択して流す兼用流路である。例えば、区画Ａの消火時には、ヘッド部１０Ａから散水される消火水が共用流路３０Ａを流れ、区画Ａの排煙時には、ヘッド部１０Ａから吸い込まれた煙が共用流路３０Ａを流れる。同様に、区画Ｂの消火時には、ヘッド部１０Ｂから散水される消火水が共用流路３０Ｂを流れ、区画Ｂの排煙時には、ヘッド部１０Ｂから吸い込まれた煙が共用流路３０Ｂを流れる。
【００２４】
消火水流路３１Ａ、３１Ｂは、共用流路３０Ａ、３０Ｂの他端側と接続され、水源５０から消火水が流れる第１分岐流路である。例えば、区画Ａの消火時には、水源５０の消火水が、消火水流路３１Ａ及び共用流路３０Ａを流れてヘッド部１０Ａから散水される。同様に、区画Ｂの消火時には、水源５０の消火水が、消火水流路３１Ｂ及び共用流路３０Ｂを流れてヘッド部１０Ｂから散水される。消火水流路３１Ａ、３１Ｂは、例えば建物の壁の内部に配管されている。
【００２５】
煙流路３２Ａ、３２Ｂは、共用流路３０Ａ、３０Ｂの他端側と接続され、排煙部６０へ煙が流れる第２分岐流路である。例えば、区画Ａの排煙時には、ヘッド部１０Ａから吸い込まれた煙が、共用流路３０Ａ及び煙流路３２Ａを流れて排煙部６０へ向かう。同様に、区画Ｂの排煙時には、ヘッド部１０Ｂから吸い込まれた煙が、共用流路３０Ｂ及び煙流路３２Ｂを流れて排煙部６０へ向かう。煙流路３２Ａ、３２Ｂは、例えば建物の壁の内部に配管されている。
【００２６】
第１開閉弁４０Ａ、４０Ｂは、消火水流路３１Ａ、３１Ｂに開閉可能に設けられている。第１開閉弁４０Ａ、４０Ｂは、制御部８０によって開閉制御されており、通常は閉じているが、区画Ａ、Ｂの消火時に開く。例えば、区画Ａの消火時には、第１開閉弁４０Ａが開く（第１開閉弁４０Ｂは閉じている）ことで、水源５０の消火水がヘッド部１０Ａへ向かって流れる。同様に、区画Ｂの消火時には、第１開閉弁４０Ｂが開く（第１開閉弁４０Ａは閉じている）ことで、水源５０の消火水がヘッド部１０Ｂへ向かって流れる。
【００２７】
第２開閉弁４５Ａ、４５Ｂは、煙流路３２Ａ、３２Ｂに開閉可能に設けられている。第２開閉弁４５Ａ、４５Ｂは、制御部８０によって開閉制御されており、通常は閉じているが、区画Ａ、Ｂの排煙時に開く。例えば、区画Ａの排煙時には、第２開閉弁４５Ａが開く（第２開閉弁４５Ｂは閉じている）ことで、ヘッド部１０Ａから吸い込まれた煙が排煙部６０へ流れる。同様に、区画Ｂの排煙時には、第２開閉弁４５Ｂが開く（第２開閉弁４５Ａは閉じている）ことで、ヘッド部１０Ｂから吸い込まれた煙が排煙部６０へ流れる。
【００２８】
本実施形態では、第１開閉弁４０Ａ、４０Ｂ及び第２開閉弁４５Ａ、４５Ｂが、消火水流路３１Ａ、３１Ｂから共用流路３０Ａ、３０Ｂへの消火水の流れと、共用流路３０Ａ、３０Ｂから煙流路３２Ａ、３２Ｂへの煙の流れとを切り替える弁として機能している。これにより、区画Ａ、Ｂの状況に応じて、共用流路３０Ａ、３０Ｂに消火水と煙のいずれか一方を選択して流すことができる。
【００２９】
水源５０は、ヘッド部１０Ａ、１０Ｂへの消火水の供給源である。水源５０には、例えば、消火水を圧送するためのポンプ（圧送ポンプ）が設けられている。区画Ａ、Ｂの消火時に圧送ポンプが動作することで、水源５０の消火水がヘッド部１０Ａ、１０Ｂへ送られて散水される。
【００３０】
排煙部６０は、ヘッド部１０Ａ、１０Ｂが吸い込んだ煙を外部へ排出するための設備である。排煙部６０には、区画Ａ、Ｂの煙をヘッド部１０Ａ、１０Ｂを介して吸い込むためのポンプ（真空ポンプ）が設けられている。区画Ａ、Ｂの排煙時に真空ポンプが動作することで、区画Ａ、Ｂの煙がヘッド部１０Ａ、１０Ｂから吸い込まれて排煙部６０へ送られて排出される。
【００３１】
制御部８０は、スプリンクラー設備１の全体を制御する制御装置である。制御部８０は、感知器２０Ａ、２０Ｂが出力した火災信号を受信する受信機を含む。制御部８０は、第１開閉弁４０Ａ、４０Ｂ、第２開閉弁４５Ａ、４５Ｂ、水源５０の圧送ポンプ、排煙部６０の真空ポンプの動作を制御する。例えば、制御部８０は、第１開閉弁４０Ａ、４０Ｂ及び第２開閉弁４５Ａ、４５Ｂの開閉動作を制御して、ヘッド部１０Ａ、１０Ｂに消火水を散水させるか、ヘッド部１０Ａ、１０Ｂから煙を吸い込ませるかを切り替える。
【００３２】
制御部８０は、感知器２０Ａ、２０Ｂの感知結果に基づいて、第１開閉弁４０Ａ、４０Ｂ、第２開閉弁４５Ａ、４５Ｂの動作を制御する。例えば、制御部８０は、感知器２０Ａ、２０Ｂから火災信号が送られると、第１開閉弁４０Ａ、４０Ｂ及び第２開閉弁４５Ａ、４５Ｂの開閉を制御して、ヘッド部１０Ａ、１０Ｂに消火水を散水させるか、ヘッド部１０Ａ、１０Ｂから煙を吸い込ませるかを切り替える。
【００３３】
制御部８０は、濃度検知部である感知器２０Ａ、２０Ｂが検知した煙の濃度に応じて、ヘッド部１０Ａ、１０Ｂからの煙の吸い込み量を制御してもよい。例えば、区画Ｂで煙が発生している場合に、制御部８０は、感知器２０Ｂが検知した煙の濃度に応じて、ヘッド部１０Ｂからの煙の吸い込み量を制御する。具体的には、区画Ｂの煙の濃度が高い場合には、制御部８０は、ヘッド部１０Ｂから煙の吸い込み量を多くなるように真空ポンプを動作させる。これにより、区画Ｂの煙の濃度を早期に低下させることができる。
【００３４】
制御部８０は、隣接する区画Ａ、Ｂのうちの一方の区画に対して消火を行う際には、他方の区画に対して排煙させる。例えば、制御部８０は、区画Ａのヘッド部１０Ａに区画Ａへ消火水を散水させると共に、区画Ａに隣接する隣接区画である区画Ｂのヘッド部１０Ｂから区画Ｂの煙を吸い込ませる。具体的には、制御部８０は、感知器２０Ａによって区画Ａでの火災が感知されると、区画Ａのヘッド部１０Ａに消火水を散水させ、区画Ｂのヘッド部１０Ｂから煙を吸い込ませる。
【００３５】
図３は、区画Ａを消火し、かつ区画Ｂを排煙する際の消火水及び煙の流れを説明するための模式図である。ここでは、区画Ａで火災が発生し、煙が区画Ｂに回り込んでいるものとする。制御部８０は、感知器２０Ａが区画Ａの火災を感知すると、第１開閉弁４０Ａを開くと共に、第２開閉弁４５Ｂを開く。そして、制御部８０は、水源５０の圧送ポンプを動作させて消火水を圧送させると共に、排煙部６０の真空ポンプを動作させて区画Ｂの煙を吸い込む。これにより、図３において太線で示すように、水源５０の消火水が消火水流路３１Ａ及び共用流路３０Ａを介してヘッド部１０Ａへ流れて区画Ａに散水され、区画Ｂの煙が共用流路３０Ｂ及び煙流路３２Ｂを介して排煙部６０へ流れて排出される。
【００３６】
同様に、制御部８０は、感知器２０Ｂによって区画Ｂでの火災が感知されると、区画Ｂのヘッド部１０Ｂに消火水を散水させ、区画Ａのヘッド部１０Ａから煙を吸い込ませる。
図４は、区画Ｂを消火し、かつ区画Ａを排煙する際の消火水及び煙の流れを説明するための模式図である。区画Ｂで火災が発生した場合には、制御部８０は、第１開閉弁４０Ｂを開くと共に、第２開閉弁４５Ａを開く。また、制御部８０は、水源５０の圧送ポンプ及び排煙部６０の真空ポンプを動作させる。これにより、図４において太線で示すように、消火水及び煙が流れることになる。
【００３７】
図１では建物の区画Ａ、Ｂが示されているが、実際には３つ以上の多数の区画がある。多数の区画のうちの一の区画で火災が発生した場合の他の区画での排煙について、図５を参照しながら説明する。
図５は、建物の一の区画から火災が発生した際の他の区画での排煙を説明するための模式図である。図５に示すように、建物に多数の区画Ａ〜Ｊがあるものとする。ここで、区画Ｃで火災が発生したものとする。すると、制御部８０は、区画Ｃをヘッド部１０Ｃによって消火水で消火すると共に、区画Ｃに隣接する区画Ｂ、Ｄ、Ｇ、Ｈ、Ｉにおいてヘッド部１０Ｂ、１０Ｄ、１０Ｇ、１０Ｈ、１０Ｉを介して排煙を行う。これにより、火災が発生した区画Ｃから区画Ｂ、Ｄ、Ｇ、Ｈ、Ｉに煙が回り込んでも、区画Ｂ、Ｄ、Ｇ、Ｈ、Ｉが排煙されるので、区画Ｂ、Ｄ、Ｇ、Ｈ、Ｉにいた人の避難が円滑に行われる。
また、図５に示す建物においては、廊下５を挟んで部屋である区画Ａ〜Ｊが向かい合っているが、所定の設置条件を満たす場合には、廊下５にもヘッド部１０Ｋが設置される。このような建物において、例えば区画Ｃで火災が発生すると、制御部８０は、区画Ｃの近くに位置する廊下５のヘッド部１０Ｋにも排煙を行わせる。
【００３８】
なお、上記では、図３で説明したように、区画Ａで火災が発生した場合には、制御部８０は、区画Ａに消火水を散水させ、区画Ｂの煙を吸い込ませることとしたが、これに限定されない。例えば、制御部８０は、区画Ａで火災が発生した場合に、区画Ａへの消火水の散水と区画Ａの煙の吸い込みとを順次切り替えて両方行わせてもよい。これにより、区画Ａを消火すると共に、区画Ａで発生する煙を取り除くことが可能となり、区画Ｂへ煙が回り込むことを抑制できる。
【００３９】
（スプリンクラー設備の動作例）
建物で火災が発生した際のスプリンクラー設備１の動作例について、図６を参照しながら説明する。
図６は、火災発生時の区画Ａ、Ｂに対するスプリンクラー設備１の動作例を説明するためのフローチャートである。ここでは、区画Ａで火災が発生し、火災に起因する煙の一部が、区画Ｂに回り込んだものとする。
【００４０】
まず、区画Ａに設置された感知器２０Ａが、区画Ａで発生した火災を感知する（ステップＳ１０２）。感知器２０Ａは、区画Ａの火災を感知すると、区画Ａで火災が発生したことを示す火災信号を制御部８０へ出力する。
【００４１】
次に、制御部８０が、受信機によって感知器２０Ａからの火災信号を受信する（ステップＳ１０４）。これにより、制御部８０は、建物の複数の区画のうちの火災が発生した区画Ａを特定できる。
【００４２】
次に、制御部８０は、受信した火災信号に基づいて、第１開閉弁４０Ａ、４０Ｂ及び第２開閉弁４５Ａ、４５Ｂの開閉を制御する。火災信号を受信する前は、第１開閉弁４０Ａ、４０Ｂ及び第２開閉弁４５Ａ、４５Ｂは全て閉じている。制御部８０は、感知器２０Ａから火災信号を受信すると、消火水流路３１Ａの第１開閉弁４０Ａ、及び煙流路３２Ｂの第２開閉弁４５Ｂを開ける（ステップＳ１０６）。この際、第１開閉弁４０Ｂ及び第２開閉弁４５Ａは、閉状態を維持されている。
【００４３】
次に、制御部８０は、水源５０の圧送ポンプ、及び排煙部６０の真空ポンプを動作させる（ステップＳ１０８）。これにより、圧送ポンプで送られる消火水が、消火水流路３１Ａ及び共用流路３０Ａを経由してヘッド部１０Ａへ流れて、区画Ａに散水される（図３参照）。また、区画Ｂの煙が、真空ポンプによってヘッド部１０Ｂから吸い込まれ、共用流路３０Ｂ及び煙流路３２Ｂを経由して排煙部６０から排出される。
【００４４】
すなわち、区画Ａへの消火水の散水と、区画Ａに隣接する区画Ｂからの煙の吸い込みが、一緒に行われる（ステップＳ１１０）。これにより、区画Ａを消火できると共に、区画Ｂに回り込んだ煙を排煙できる。このように区画Ｂを排煙することで、区画Ａで火災が発生した際に区画Ｂにいた人が避難しやすくなる。
上記の区画Ａへの消火水の散水と区画Ｂからの煙の吸い込みは、区画Ａが消火されて安全が確保されるまで継続して実行される。
【００４５】
（第１の実施形態における効果）
第１の実施形態によれば、区画Ａ、Ｂに設けられたヘッド部１０Ａ、１０Ｂの各々が、区画Ａ、Ｂに消火水を散水し、又は区画Ａ、Ｂから煙を吸い込む。また、制御部８０は、第１開閉弁４０Ａ、４０Ｂ及び第２開閉弁４５Ａ、４５Ｂを開閉制御することで、消火水及び煙の一方を共用流路３０Ａ、３０Ｂに流させて、ヘッド部１０Ａ、１０Ｂに消火水を散水させるか、ヘッド部１０Ａ、１０Ｂから煙を吸い込ませるかを切り替える。
上記の構成によれば、第１開閉弁４０Ａ、４０Ｂ及び第２開閉弁４５Ａ、４５Ｂの開閉制御によって、消火水と煙を別々の流路に流すことなく、一つの共用流路及びヘッド部で一つの区画に対して消火水の散水と煙の吸い込みを行うことができる。これにより、消火水及び煙を流す配管の構成が簡素化される。
また、第１の実施形態によれば、区画Ａで火災が発生した場合には、区画Ａを消火すると共に、区画Ａに隣接する区画Ｂを排煙することで、区画Ａから区画Ｂへ回り込んだ煙を適切に排煙できる。これにより、区画Ｂに煙が充満することを抑制でき、区画Ｂにいた人の避難時間を確保できる。
【００４６】
＜第２の実施形態＞
第１の実施形態では、消火水流路３１Ａ、３１Ｂに第１開閉弁４０Ａ、４０Ｂが設けられ、煙流路３２Ａ、３２Ｂに第２開閉弁４５Ａ、４５Ｂが設けられていた。これに対して、第２の実施形態では、消火水流路３１Ａ、３１Ｂと煙流路３２Ａ、３２Ｂの分岐部に、三方弁が設けられている。
【００４７】
図７は、第２の実施形態に係るスプリンクラー設備１の概略構成を説明するための模式図である。図７に示すように、消火水流路３１Ａと煙流路３２Ａの分岐部に三方弁７０Ａが設けられ、消火水流路３１Ｂと煙流路３２Ｂの分岐部に三方弁７０Ｂが設けられている。三方弁７０Ａは、共用流路３０Ａ、消火水流路３１Ａ、煙流路３２Ａと接続される開閉可能な３つの開口を有する。同様に、三方弁７０Ｂも、共用流路３０Ｂ、消火水流路３１Ｂ、煙流路３２Ｂと接続される開閉可能な３つの開口を有する。
【００４８】
そして、制御部８０が三方弁７０Ａ、７０Ｂの３つの開口を開閉制御することで、第１の実施形態と同様に、ヘッド部１０Ａ、１０Ｂに消火水を散水させるか、ヘッド部１０Ａ、１０Ｂから煙を吸い込ませるかを切り替えられる。図７では、三方弁７０Ａの３つの開口は、水源５０からヘッド部１０Ａへ消火水が向かうように、開閉されている。同様に、三方弁７０Ｂの３つの開口も、ヘッド部１０Ｂが吸い込んだ煙が排煙部６０へ向かうように、開閉されている。
【００４９】
第２の実施形態の場合には、一つの区画Ａに対して第１開閉弁４０Ａ及び第２開閉弁４５Ａの開閉を制御する第１の実施形態に比べて、一つの区画Ａに対して三方弁７０Ａのみを制御すればよいので、制御対象を減らすことができる。また、弁の数が減ることで、配管構成をより簡易化できる。
【００５０】
＜第３の実施形態＞
上述した第１実施形態及び第２の実施形態では、一つの区画に一つのヘッド部（例えば、区画Ａにヘッド部１０Ａ）が設けられていた。これに対して、第３の実施形態では、一つの区画（部屋）に、第１の実施形態で説明した構成のヘッド部が複数設けられている。
【００５１】
図８は、第３の実施形態を説明するための模式図である。第３の実施形態では、図８に示すように、一つの区画Ａに第１ヘッド部であるヘッド部１０Ａと、第２ヘッド部であるヘッド部１０Ｘが設けられている。ヘッド部１０Ａ、１０Ｘは、区画Ａの天井において離れて配置されている。そして、制御部８０は、区画Ａで火災が発生した場合に、ヘッド部１０Ａに消火水を散水させると共に、ヘッド部１０Ｘから煙を吸い込ませる。例えば、制御部８０は、火災の発生箇所に近いヘッド部１０Ａから消火水を散水させる一方で、火災の発生箇所から遠いヘッド部１０Ｘから煙を吸い込ませる。また、制御部８０は、ヘッド部１０Ａに消火水を散水させ、かつヘッド部１０Ｘから煙を吸い込ませる制御を所定時間行った後に、ヘッド部１０Ａから煙を吸い込ませ、かつヘッド部１０Ｘに消火水を散水させてもよい。これにより、区画Ａの全体を効果的に消火及び排煙できる。
【００５２】
第３の実施形態によれば、一つの区画に設けられた複数のヘッド部を制御することで、区画での火災の発生状況に応じて消火及び排煙を適切に行うことができる。
【００５３】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５４】
１    スプリンクラー設備
１０Ａ、１０Ｂ    ヘッド部
２０Ａ、２０Ｂ    感知器
３０Ａ、３０Ｂ    共用流路
３１Ａ、３１Ｂ    消火水流路
３２Ａ、３２Ｂ    煙流路
４０Ａ、４０Ｂ    第１開閉弁
４５Ａ、４５Ｂ    第２開閉弁
５０    水源
６０    排煙部
７０Ａ、７０Ｂ    三方弁
８０    制御部
Ａ、Ｂ    区画
【図１】
2019093005.tif 000003
【図２】
2019093005.tif 000004
【図３】
2019093005.tif 000005
【図４】
2019093005.tif 000006
【図５】
2019093005.tif 000007
【図６】
2019093005.tif 000008
【図７】
2019093005.tif 000009
【図８】
2019093005.tif 000010